(57)【要約】  【課題】  保持したシャワヘッドの使用時の安全性を高めることができるシャワフックを提供すること。  【解決手段】  下側にシャワホース２が連なるシャワヘッド１を保持する横断面ほぼＣ字形状の保持部５を備え、この保持部５の左右側壁６，７の先端部間に前記シャワホース２を通過させるように構成されたシャワフック４であって、前記左右側壁６，７を左右非対称に形成し、保持部５に保持されたシャワヘッド１を持ち上げて前方に移動させると、そのシャワホース２に左右側壁６，７のいずれか一方が当接するように構成してある。  【選択図】  図１
2005220579.tif 000002
【特許請求の範囲】
【請求項１】
下側にシャワホースが連なるシャワヘッドを保持する横断面ほぼＣ字形状の保持部を備え、この保持部の左右側壁の先端部間に前記シャワホースを通過させるように構成されたシャワフックであって、前記左右側壁を左右非対称に形成し、保持部に保持されたシャワヘッドを持ち上げて前方に移動させると、そのシャワホースに左右側壁のいずれか一方が当接するように構成してあることを特徴とするシャワフック。
【発明の詳細な説明】
【技術分野】
【０００１】
この発明は、例えば浴室やシャワルーム等の壁に配置され、シャワヘッドを着脱自在に保持するシャワフックに関する。
【背景技術】
【０００２】
例えば浴室やシャワルーム等に設置されるシャワフックとして、図３（Ａ）および図４に示すように、シャワヘッド１を着脱自在に挟持する一対の突出壁３０を備えたものがある。すなわち、このシャワフックは、一対の突出壁３０に対してシャワヘッド１をその上方から降ろすことにより、シャワヘッド１の下端部に設けられ、シャワホース２が接続される接続部３を一対の突出壁３０に保持させることができ、この状態のシャワヘッド１を上方に持ち上げれば、シャワヘッド１に連なるシャワホース２を一対の突出壁３０間に通してシャワフックから取り外すことができるように構成されている。また、突出壁３０に保持された状態のシャワヘッド１の水平方向の移動を防止するために、図４に示すように、突出壁３０の内面がシャワヘッド１の接続部３の外周面に沿うように構成されている。
【発明の開示】
【発明が解決しようとする課題】
【０００３】
しかし、上記従来のシャワフックでは、前記一対の突出壁３０が左右対称に設けられていたので、シャワフックに保持させた状態のシャワヘッド１から吐水を行ったときに、その吐水の反動により、シャワヘッド１が図３（Ｂ）に示すように持ち上がり、図３（Ｃ）に示すようにシャワホース２が一対の突出壁３０間を通ってシャワヘッド１がシャワフックの前方に外れると、その外れたシャワヘッド１がシャワフックの正面にいる使用者に当たるおそれがあった。
【０００４】
この発明は上述の事柄に留意してなされたもので、その目的は、保持したシャワヘッドの使用時の安全性を高めることができるシャワフックを提供することである。
【課題を解決するための手段】
【０００５】
上記目的を達成するために、この発明のシャワフックは、下側にシャワホースが連なるシャワヘッドを保持する横断面ほぼＣ字形状の保持部を備え、この保持部の左右側壁の先端部間に前記シャワホースを通過させるように構成されたシャワフックであって、前記左右側壁を左右非対称に形成し、保持部に保持されたシャワヘッドを持ち上げて前方に移動させると、そのシャワホースに左右側壁のいずれか一方が当接するように構成してある（請求項１）。
【発明の効果】
【０００６】
請求項１に係るシャワフックでは、このシャワフックにシャワヘッドを保持させた状態でシャワヘッドから吐水したときに、この吐水の反動によりシャワヘッドが持ち上がり、このシャワヘッドがシャワフックから前方に外れて落ちることを前記左右側壁のいずれか一方により確実に防止することができるので、保持したシャワヘッドの使用時の安全性を高めることができる。
【発明を実施するための最良の形態】
【０００７】
図１および図２は、この発明の一実施例を示し、図１（Ａ）および（Ｂ）は、この発明の一実施例に係るシャワフックの構成を概略的に示す平面図および正面図、図２（Ａ）および（Ｂ）は、シャワヘッドを取り付けた状態および取り外した状態の前記シャワフックの構成を概略的に示す説明図である。
【０００８】
まず、図１（Ａ）および（Ｂ）において、４は図３（Ａ）〜（Ｃ）に示したシャワヘッド１を保持する横断面ほぼＣ字形状の保持部５を備えたシャワフックで、浴室やシャワルームなどの壁面（図示していない）に取り付けられる。なお、２はシャワヘッド１の接続部３に接続されるシャワホースである。
【０００９】
前記接続部３は、その外周面が下向きのテーパ面となっており、この接続部３が挿入される保持部５の内面は接続部３の外周面の形状に合わせて下向きのテーパ面となっている。これにより、保持部５への接続部３の上方からの進入を容易にしている。また、前記保持部５の左右側壁６，７の先端部間にホース用通路８が設けられ、このホース用通路８に前記シャワホース２を通過させることができるように構成されている。
【００１０】
前記保持部５の背面部分には、シャワヘッド１の接続部３に当接する高摩擦部分９が設けられている。この高摩擦部分９は、例えばゴムなどの合成樹脂よりなる。
【００１１】
ここまでの構成は、従来のシャワフックと何ら変わるところがない。そして、この実施の形態のシャワフック４は、前記左右側壁６，７を左右非対称に形成し、保持部５に保持されたシャワヘッド１を持ち上げて前方に移動させると、そのシャワホース２に左右側壁６，７のいずれか一方が当接するという構成を有する点に特徴がある。
【００１２】
この実施例では、左側壁６に比べて右側壁７の方がシャワフック４の正面側により突出するように構成されており、保持部５に保持されたシャワヘッド１を持ち上げて前方に移動させると、そのシャワホース２に右側壁７が当接するように構成されている。これにより、保持部５に保持された状態のシャワヘッド１の左右方向におけるセンターラインＸに比べて、ホース用通路８の左右方向におけるセンターラインＹが左側に位置している。  
【００１３】
上記の構成からなるシャワフック４にシャワヘッド１を保持させるには、図２（Ａ）に示すように、シャワホース２をホース用通路８にその外側（前側）から内側（後側）に向けて通した後、接続部３を左右側壁部６，７間にその上方から進入させるだけでよい。
【００１４】
そして、シャワフック４にシャワヘッド１を保持させた状態でこのシャワヘッド１から吐水したときに、その吐水の反動によりシャワヘッド１が若干持ち上がったとしても、このシャワヘッド１の下側に連なるシャワホース２の前側の部分が右側壁７に当接するので、シャワヘッド１がシャワフック４からその前方に外れることが確実に防止される。
【００１５】
また、シャワフック４に保持させたシャワヘッド１をシャワフック４から取り外すには、シャワヘッド１を上方に持ち上げた後、図２（Ｂ）に示すように、シャワホース３をホース用通路８にその内側（後側）から外側（前側）に向けて通すだけでよい。
【００１６】
なお、この発明は上記の実施の形態に限られず、種々に変形して実施することができる。例えば、上記実施例では、保持部５のほぼ前方にホース用通路８を設けているが、このような構成に限られず、ホース用通路８を保持部５の側方（左側または右側）に設けてあってもよい。
【図面の簡単な説明】
【００１７】
【図１】本発明の一実施例に係るシャワフックの構成を概略的に示す平面図である。
【図２】前記シャワフックの構成を概略的に示す正面図である。
【図３】（Ａ）〜（Ｃ）は、従来のシャワフックの構成を概略的に示す説明図である。
【図４】上記従来のシャワフックの構成を概略的に示す平面図である。
【符号の説明】
【００１８】
１    シャワヘッド
２    シャワホース
４    シャワフック
５    保持部
６    左側壁
７    右側壁
【図１】
2005220579.tif 000003
【図２】
2005220579.tif 000004
【図３】
2005220579.tif 000005
【図４】
2005220579.tif 000006